(57)【要約】【課題】  既存の支持脚を利用して直付けの電源コードを巻き取ることができるようにすることにより、見栄えがよく、構造的にも簡略であって、低コストとなるようにする。【解決手段】  炊飯器本体１の底部に設けられた主支持脚２３および補助支持脚２５の全部または一部に、接地面から所定寸法離れた位置に水平方向に延びる突部２６を設けるとともに、該突部２６の上方に電源コード２７を巻き付けて収納して、既存の支持脚を利用して電源コード２７を巻き付け収納することができるようにしている。【選択図】        図２
2010187986.tif 000002
【特許請求の範囲】
【請求項１】
炊飯器本体の底部に設けられ、該炊飯器本体を置き台上に支持するための少なくとも３本の主支持脚と、積極的に前記炊飯器本体を支持する役割ではないがご飯をよそう時等、炊飯器本体が傾くような方向に力が加わった場合に炊飯器方向が著しく浮き上がるのを防止するための複数の補助支持脚と、直付けの電源コードとを備えた電気炊飯器であって、前記主支持脚および前記補助支持脚の全部または一部には、接地面から所定寸法離れた位置に水平方向に延びる突部を設けるとともに、該突部の上方に前記電源コードを巻き付けて収納したことを特徴とする電気炊飯器。
【請求項２】
巻き付けられた状態の前記電源コードの中心を、前記炊飯器本体の底部における中心より偏った位置に位置させたことを特徴とする請求項１記載の電気炊飯器。
【請求項３】
前記炊飯器本体内には、電源基板等を冷却するための冷却風を発生させるための冷却ファンを配設するとともに、巻き付けられた状態の前記電源コードの中心を、前記炊飯器本体底部における中心より前記冷却ファンと反対側に偏った位置に位置させたことを特徴とする請求項２記載の電気炊飯器。
【請求項４】
前記炊飯器本体の底部には、前記電源コードの巻き付け部を避けた位置に前記冷却ファンへの空気吸込口および冷却風の出口となる空気排出口を形成したことを特徴とする請求項３記載の電気炊飯器。
【発明の詳細な説明】
【技術分野】
【０００１】
本願発明は、電気炊飯器に関し、さらに詳しくは直付け電源コードを見栄え良く収納できる構造を備えた電気炊飯器に関するものである。
【背景技術】
【０００２】
電気炊飯器の電源コードを収納する装置としては、巻き取り式のコードリールを使用したものが従来から良く知られているが、コストが高くなるとともに、取付が面倒であった。
【０００３】
そこで、電源コードを炊飯器本体に直付けするタイプの電気炊飯器が開発されるようになってきている。この場合、複数個の特別なフック部材を本体底部に設け、このフック部材に直付けの電源コードを巻き付けるようにしている（例えば、特許文献１参照）。
【先行技術文献】
【特許文献】
【０００４】
【特許文献１】実公平１−３７２３７号公報
【発明の概要】
【発明が解決しようとする課題】
【０００５】
上記特許文献１に開示されている技術では、電源コードを巻き取るための特別なフック部材が必要となり、構造的に複雑化するとともに、コスト的にも不利となる。
【０００６】
本願発明は、上記の点に鑑みてなされたもので、既存の支持脚を利用して直付けの電源コードを巻き取ることができるようにすることにより、見栄えがよく、構造的にも簡略であって、低コストとなるようにすることを目的としている。
【課題を解決するための手段】
【０００７】
本願発明では、上記課題を解決するための第１の手段として、炊飯器本体の底部に設けられ、該炊飯器本体を置き台上に支持するための少なくとも３本の主支持脚と、積極的に前記炊飯器本体を支持する役割ではないがご飯をよそう時等、炊飯器本体が傾くような方向に力が加わった場合に炊飯器方向が著しく浮き上がるのを防止するための複数の補助支持脚と、直付けの電源コードとを備えた電気炊飯器において、前記主支持脚および前記補助支持脚の全部または一部に、接地面から所定寸法離れた位置に水平方向に延びる突部を設けるとともに、該突部の上方に前記電源コードを巻き付けて収納している。
【０００８】
上記のように構成したことにより、既存の支持脚を利用して電源コードを巻き付け収納することができることとなり、電源コードの余剰部の固定および使用部の長さ調整の見栄えがよく、構造的にも簡略であって、低コストで行うことが可能となる。しかも、接地面から所定寸法離れた位置に水平方向に延びる突部の上方に電源コードを巻き付けて収納するようにしているため、余剰部が垂れ下がらない脱落防止が可能となる。また、コードリールを使用しないので、大幅なコストダウンが可能となる。
【０００９】
本願発明では、さらに、上記課題を解決するための第２の手段として、上記第１の手段備えた電気炊飯器において、巻き付けられた状態の前記電源コードの中心を、前記炊飯器本体の底部における中心より偏った位置に位置させることもでき、そのように構成した場合、巻き取られた状態の電源コードが炊飯器本体の底部に確実に隠れることとなり、より一層見栄えがよくなる。
【００１０】
本願発明では、さらに、上記課題を解決するための第３の手段として、上記第２の手段備えた電気炊飯器において、前記炊飯器本体内に、電源基板等を冷却するための冷却風を発生させるための冷却ファンを配設するとともに、巻き付けられた状態の前記電源コードの中心を、前記炊飯器本体底部における中心より前記冷却ファンと反対側に偏った位置に位置させることもでき、そのように構成した場合、冷却ファンとの重量バランスをとることができることとなり、持ち上げた際の重心のバランスを保つことができる。
【００１１】
本願発明では、さらに、上記課題を解決するための第４の手段として、上記第３の手段備えた電気炊飯器において、前記炊飯器本体の底部には、前記電源コードの巻き付け部を避けた位置に前記冷却ファンへの空気吸込口および冷却風の出口となる空気排出口を形成することもでき、そのように構成した場合、電源コードの巻き付けにより、空気吸込口や空気排出口を塞ぐおそれがなくなり、冷却風の流通を確保することができる。
【発明の効果】
【００１２】
本願発明の第１の手段によれば、炊飯器本体の底部に設けられ、該炊飯器本体を置き台上に支持するための少なくとも３本の主支持脚と、積極的に前記炊飯器本体を支持する役割ではないがご飯をよそう時等、炊飯器本体が傾くような方向に力が加わった場合に炊飯器方向が著しく浮き上がるのを防止するための複数の補助支持脚と、直付けの電源コードとを備えた電気炊飯器において、前記主支持脚および前記補助支持脚の全部または一部に、接地面から所定寸法離れた位置に水平方向に延びる突部を設けるとともに、該突部の上方に前記電源コードを巻き付けて収納して、既存の支持脚を利用して電源コードを巻き付け収納することができるようにしたので、電源コードの余剰部の固定および使用部の長さ調整の見栄えがよく、構造的にも簡略であって、低コストで行うことが可能となるという効果がある。しかも、接地面から所定寸法離れた位置に水平方向に延びる突部の上方に電源コードを巻き付けて収納するようにしているため、余剰部が垂れ下がらない脱落防止が可能となるという効果もある。また、コードリールを使用しないので、大幅なコストダウンが可能となるという効果もある。
【００１３】
本願発明の第２の手段におけるように、上記第１の手段備えた電気炊飯器において、巻き付けられた状態の前記電源コードの中心を、前記炊飯器本体の底部における中心より偏った位置に位置させることもでき、そのように構成した場合、巻き取られた状態の電源コードが炊飯器本体の底部に確実に隠れることとなり、より一層見栄えがよくなる。
【００１４】
本願発明の第３の手段におけるように、上記第２の手段備えた電気炊飯器において、前記炊飯器本体内に、電源基板等を冷却するための冷却風を発生させるための冷却ファンを配設するとともに、巻き付けられた状態の前記電源コードの中心を、前記炊飯器本体底部における中心より前記冷却ファンと反対側に偏った位置に位置させることもでき、そのように構成した場合、冷却ファンとの重量バランスをとることができることとなり、持ち上げた際の重心のバランスを保つことができる。
【００１５】
本願発明の第４の手段におけるように、上記第３の手段備えた電気炊飯器において、前記炊飯器本体の底部には、前記電源コードの巻き付け部を避けた位置に前記冷却ファンへの空気吸込口および冷却風の出口となる空気排出口を形成することもでき、そのように構成した場合、電源コードの巻き付けにより、空気吸込口や空気排出口を塞ぐおそれがなくなり、冷却風の流通を確保することができる。
【図面の簡単な説明】
【００１６】
【図１】本願発明の実施の形態にかかる電気炊飯器の底面図である。
【図２】図１のＩＩ−ＩＩ断面図である。
【図３】図１のＩＩＩ−ＩＩＩ断面図である
【図４】本願発明の実施の形態にかかる電気炊飯器における他の電源コード巻き付け状態を示す底面図である。
【発明を実施するための形態】
【００１７】
以下、添付の図面を参照して、本願発明の好適な実施の形態について説明する。
【００１８】
この電気炊飯器は、図２および図３に示すように、米と水とを収容する内鍋３を取出自在に収納し得るように構成され且つ空間部を有する二重構造の炊飯器本体１と、該炊飯器本体１の上部開口を開閉自在に覆蓋する蓋体２とを備えている。
【００１９】
前記炊飯器本体１は、外側壁を構成する円筒形状の板金製の外ケース１ａと、底壁を構成するお椀形状の合成樹脂製の底部材１ｂと、肩部を構成する合成樹脂製の肩部材１ｃと、内周壁を構成する合成樹脂製の有底円筒形状の保護枠４とからなっている。前記肩部材１ｃは、前記保護枠４の上端部を前記外ケース１ａの上端部に結合する環状部材からなっている。なお、前記保護枠４内には、前記内鍋３が取り出し可能に収納されることとなっている。
【００２０】
前記保護枠４の外周面側には、炊飯時における主加熱手段として作用する環状のメインＩＨコイルＣ1，Ｃ2が保護枠４の底面、該底面および側周面に至る間の湾曲部にそれぞれ対応して配設されている。該メインＩＨコイルＣ1，Ｃ2は、交番磁界（換言すれば、電磁波）を発生するものであり、該交番磁界の電磁誘導により前記内鍋３に誘導渦電流を発生させ、該誘導渦電流の抵抗熱を利用して加熱するものとされている。なお、内鍋３は、メインＩＨコイルＣ1，Ｃ2により誘導渦電流を発生させることのできる材質（例えば、磁性体材料）により構成される。符号５はコイルダイ、６は断熱材である。
【００２１】
前記炊飯器本体１内の前部空間部には、鉛直姿勢で電源基板８が配設されており、該電源基板８の下端に対向して冷却ファン７が配設されている。符号９はヒートシンクである。
【００２２】
また、前記内鍋３の側面部外方に対応する保護枠４には、保温ヒータ（図示省略）が配設されている。
【００２３】
一方、前記蓋体２は、外面を構成する合成樹脂製の上板１０と、内面を構成するドーナツ形状の合成樹脂製の下板１１とによって構成されている。この蓋体２は、前記肩部材１ｃの一側に形成されたヒンジピン１２を介して炊飯器本体１に対して弧回動自在に取り付けられている。
【００２４】
前記蓋体２の下面には、熱良導体（例えば、アルミ合金）からなる円盤形状の放熱板１３が取り付けられており、該放熱板１３の上面には、蓋ヒータＨ1が設けられている。符号１４は蓋体２の下面に取り付けられた内蓋、１５は内蓋１４の周縁と内鍋３の開口部との間をシールするシールパッキン、１６は放熱板１３の周縁と内蓋１４との間をシールするシールパッキン、１７は蓋体２の閉止状態を保持するためのロック機構、１８は蓋体２の中央部に設けられた蒸気排出口である。
【００２５】
前記底部材１ｂには、前記冷却ファン７の吸込側に対向する位置する空気吸込口１９と、該空気吸込口１９の反対側に位置する空気排出口２０と、中央部に位置する水溜め部２１とが形成されている。該水溜め部２１は、下向きに凸な形状とされており、その底部には、複数の水抜き穴２２が形成されている。
【００２６】
そして、前記炊飯器本体１の底部（即ち、底部材１ｂ）には、後部外周縁中央位置と前記空気吸込口１９の両側位置とに炊飯器本体１を置き台上に支持するための３本の主支持脚２３，２３，２３とが下向きに突設されている。また、前記炊飯器本体１の底部（即ち、底部材１ｂ）において、前記空気吸込口１９と空気排出口２０との間は、上向きに凸な形状の平面部２４が形成されている。該平面部２４における空気排出口２０側には、空気排出口２０の一部が形成されている。
【００２７】
この平面部２４には、仮想四角形の角部に位置して４個の補助支持脚２５，２５，２５，２５が下向きに突設されている。該各補助支持脚２５には、接地面から所定寸法離れた位置に水平方向に延びる鍔形状の突部２６がそれぞれ設けられている。該各突部２６は、仮想四角形の角部に向かって広くなっている。符号２８は巻き付けられた電源コード２７のコンセント部２７ａを引き出すべく平面部２４の一角に形成された切欠部であり、該切欠部２８には、引き出された電源コード２７を仮止めする仮止め係止部２９が設けられている。このようにすると、使用する電源コード２７の長さを自由に変更できることとなる。
【００２８】
ところで、この電気炊飯器の場合、直付けの電源コード２７が炊飯器本体１の底部に取り付けられている。つまり、電源コードを巻き取るコードリールが使用されていないのである。このような構成とすると、電源コード２７の巻き取りを工夫しないと、見栄えがよくないばかりか、使い勝手も悪くなるおそれがある。
【００２９】
そこで、本実施の形態においては、図１に示すように、電源コード２７は、前記補助支持脚２５，２５，２５，２５に巻き付けて収納されることとなっている。
【００３０】
上記のように構成したことにより、既存の支持脚２５，２５，２５，２５を利用して電源コード２７を巻き付け収納することができることとなり、電源コード２７の余剰部の固定および使用部の長さ調整の見栄えがよく、構造的にも簡略であって、低コストで行うことが可能となる。しかも、接地面から所定寸法離れた位置に水平方向に延びる突部２６の上方に電源コード２７を巻き付けて収納するようにしているため、余剰部が垂れ下がらない脱落防止が可能となる。また、コードリールを使用しないので、大幅なコストダウンが可能となる。
【００３１】
ここで、補助支持脚２５，２５，２５，２５に巻き付けられた状態の電源コード２７の中心は、前記炊飯器本体１の底部における中心より空気吸込口１９の反対側に偏った位置に位置せしめられている。つまり、図１において、炊飯器本体１の底部における中心から空気吸込口１９側の補助支持脚２５，２５の中心までの距離をＸとし、炊飯器本体１の底部における中心から空気吸込口１９の反対側の補助支持脚２５，２５の中心までの距離をＹとしたとき、Ｘ＜Ｙとされているのである。このようにすると、巻き取られた状態の電源コード２７が炊飯器本体１の底部に確実に隠れることとなり、より一層見栄えがよくなる。
【００３２】
また、前記突部２６と炊飯器本体１の底面までの距離Ｄ1（図３参照）は、電源コード２７の１本分の太さｄより大きく、２本分の太さより小さくされている。つまり、補助支持脚２５における突部２６の上方には電源コード２７を２重巻できないようになっているのである。
【００３３】
さらに、補助支持脚２５の先端（即ち、接地面）から突部２６の上面までの距離Ｄ2（図３参照）は、電源コード２７の１本分の太さｄより大きくされている。このようにすると、補助支持脚２５の突部２６上方に巻き付けられなかった電源コード２７が補助支持脚２５の突部２６の下方側に巻き付いたとしても、電源コード２７が置き台と擦れ合うことがなくなり、電源コード２７の損傷を防止できる。
【００３４】
さらにまた、前記底部材１ｂの外壁形状は、電源コード２７の巻き付け時にガイドする機能を発揮できるようにテーパがつけられている。そして、前記突部２６の外周端は、底部材１ｂの外壁形状を延長した線Ｓより内方に位置せしめられることとなっている。このようにすると、突部２６および補助支持脚２５に巻き付けられた電源コード２７が外方から見えなくなり、見栄えがよくなる。
【００３５】
なお、図４には、電源コード２７の他の巻き付け状態を示しており、四つの補助支持脚２５，２５，２５，２５に一回り巻き付けた後に二つ補助支持脚２５，２５に巻き付けるようにしている。また、四つの補助支持脚２５，２５，２５，２５に一回り巻き付けた後に三つの補助支持脚２５，２５，２５に巻き付ける場合もある。この場合、電源コード２７の一部が対角にある補助支持脚２５，２５に巻き付けられることとなるが、その際には、底部材１ｂの中心部に形成された水溜め部２１が電源コード２７の一部（即ち、対角部）を支持することとなる。
【００３６】
本実施の形態においては、電源コード２７を補助支持脚２５，２５，２５，２５にのみ巻き付けることとなっているが、主支持脚２３，２３，２３および補助支持脚２５，２５，２５，２５の全部または一部に電源コード２７を巻き付けるようにする場合もある。
【００３７】
本願発明は、上記実施の形態に限定されるものではなく、発明の要旨を逸脱しない範囲において適宜設計変更可能なことは勿論である。
【符号の説明】
【００３８】
１は炊飯器本体
１ｂは底部材
７は冷却ファン
８は電源基板
１９は空気吸込口
２０は空気排出口
２３は主支持脚
２５は補助支持脚
２６は突部
２７は電源コード
【図１】
2010187986.tif 000003
【図２】
2010187986.tif 000004
【図３】
2010187986.tif 000005
【図４】
2010187986.tif 000006